(57)【要約】【課題】除去部材による当該非転写画像のトナーの除去が不十分であっても、記録媒体の転写部材側の面に金属顔料を含むトナーが転移するのを抑制する。【解決手段】画像形成装置は、金属顔料を含む第１トナーで第１転写画像及び第１非転写画像を形成する第１形成部と、金属顔料を含まない第２トナーで第２転写画像及び第２非転写画像を形成する第２形成部と、第１転写画像、第１非転写画像、第２転写画像及び第２非転写画像が転写される転写体と、転写体との間の転写ニップにおいて、第１転写画像及び第２転写画像を記録媒体に転写する転写部材と、転写部材に付着した第１非転写画像の第１トナー及び第２非転写画像の第２トナーを静電力によって除去する除去部材と、を備え、第１非転写画像の次に転写ニップに導入される記録媒体に対してその導入方向に見て重ならない転写体上の位置に、該第１非転写画像を転写する転写モードを有する。【選択図】図４
2016061922.tif 000002
【特許請求の範囲】
【請求項１】
金属顔料を含む第１トナーで第１転写画像及び第１非転写画像を形成する第１形成部と、
金属顔料を含まない第２トナーで第２転写画像及び第２非転写画像を形成する第２形成部と、
前記第１転写画像、前記第１非転写画像、前記第２転写画像及び前記第２非転写画像が転写される転写体と、
前記転写体との間の転写ニップにおいて、前記第１転写画像及び前記第２転写画像を記録媒体に転写する転写部材と、
前記転写部材に付着した前記第１非転写画像の前記第１トナー及び前記第２非転写画像の前記第２トナーを静電力によって除去する除去部材と、
を備え、
前記第１非転写画像の次に前記転写ニップに導入される前記記録媒体に対してその導入方向に見て重ならない前記転写体上の位置に、該第１非転写画像を転写する転写モードを有する
画像形成装置。
【請求項２】
前記第１非転写画像の次に前記転写ニップに導入される記録媒体の前記転写部材側を向いた面が、前記第１トナーの明度より低い明度を有する場合に、前記転写モードを実行する
請求項１に記載の画像形成装置。
【請求項３】
前記第１形成部は、
前記第１転写画像及び前記第１非転写画像を形成する形成体と、
前記形成体に接触して該形成体から前記転写体への前記第１転写画像及び前記第１非転写画像の転写後に残留する第１トナーを除去する除去体と、
を有すると共に、前記第２形成部の下流側に配置され、
前記転写モードにおいて、前記第１非転写画像の次に前記転写ニップに導入される記録媒体に対して導入方向に見て重なる前記転写体上の位置に、前記第２非転写画像を前記第２形成部から転写して、前記形成体と前記除去体との間に前記第２トナーを供給する
請求項１又は２に記載の画像形成装置。
【請求項４】
前記第２形成部は、
前記第２転写画像及び前記第２非転写画像を形成する形成体と、
前記形成体に接触して、該形成体から前記転写体への前記第２転写画像の転写後に残留する第２トナーを除去する除去体と、
を有し、
前記第２形成部の前記形成体に形成された前記第２非転写画像の前記第２トナーを前記第２形成部の前記形成体と前記第２形成部の前記除去体との間に供給する供給モードを有し、
前記転写モードにおいて、前記重なる転写体上の位置に、前記供給モードにおける第２非転写画像よりも濃度が高い前記第２非転写画像を該形成体から転写して、前記第１形成部の前記形成体と前記第１形成部の前記除去体との間に前記第２トナーを供給する
請求項３に記載の画像形成装置。
【請求項５】
転写電圧が印加されて、前記第１形成部の前記形成体で形成された第１転写画像を前記転写体に転写する転写部であって、前記転写モードにおいて、前記重なる転写体上の位置に転写された前記第２非転写画像が、前記第１形成部の前記形成体と前記転写部との間に導入される際に、前記転写電圧が印加されない転写部
を備える
請求項３又は４に記載の画像形成装置。
【発明の詳細な説明】
【技術分野】
【０００１】
本発明は、画像形成装置に関する。
【背景技術】
【０００２】
特許文献１には、以下の構成が開示されている。すなわち、特許文献１では、転写ドラムの所要の個所に、パッチ画像を形成し、このパッチ画像の濃度により印字する画像の濃度を調整制御する。パッチ画像は画像形成前にファーブラシにより除去されるが、ファーブラシの汚れなどにより、完全に除去されない場合がある。このとき、パッチ画像形成位置を変更し、これに合わせて濃度センサも移動する。このようにして、転写ドラムをまんべんなく利用し、転写ドラムの局部的汚れによる寿命の低下を阻止する。
【先行技術文献】
【特許文献】
【０００３】
【特許文献１】特開平１１−１１９４７８号公報
【発明の概要】
【発明が解決しようとする課題】
【０００４】
金属顔料を含むトナー（以下、金属トナーという）で形成された転写画像が中間転写ベルト等の転写体に転写され、その転写画像を、当該転写体と二次転写ベルト等の転写部材との間の転写ニップに導入される記録媒体に転写する構成がある。この構成において、記録媒体に転写されないパッチ等の非転写画像が転写体に転写され、該非転写画像がさらに転写部材へ転写され、転写部材上の非転写画像の金属トナーを、除去部材への電圧印加による静電力で除去する構成がある。
【０００５】
金属トナーは、導電性を有するため、除去部材に高電圧を印加すると、電荷注入が生じて極性が変わりやすい。金属トナーの極性が変わった場合では、静電力が反発力として金属トナーに作用して、金属トナーを除去できない場合がある。除去できなかった金属トナーは、転写部材の周回により転写ニップへ搬送され、転写ニップに導入される記録媒体に対してその導入方向に見て重なる位置に当該金属トナーが位置していると、記録媒体Ｐの裏面（転写部材側の面）に転移する場合がある。
【０００６】
本発明は、金属顔料を含むトナーで形成された非転写画像の次に転写ニップに導入される記録媒体に対してその導入方向に見て重なる転写体上の位置に当該非転写画像が転写される場合に比べ、除去部材による当該非転写画像のトナーの除去が不十分であっても、記録媒体の転写部材側の面に金属顔料を含むトナーが転移するのを抑制することを目的とする。
【課題を解決するための手段】
【０００７】
請求項１の発明は、金属顔料を含む第１トナーで第１転写画像及び第１非転写画像を形成する第１形成部と、金属顔料を含まない第２トナーで第２転写画像及び第２非転写画像を形成する第２形成部と、前記第１転写画像、前記第１非転写画像、前記第２転写画像及び前記第２非転写画像が転写される転写体と、前記転写体との間の転写ニップにおいて、前記第１転写画像及び前記第２転写画像を記録媒体に転写する転写部材と、前記転写部材に付着した前記第１非転写画像の前記第１トナー及び前記第２非転写画像の前記第２トナーを静電力によって除去する除去部材と、を備え、前記第１非転写画像の次に前記転写ニップに導入される前記記録媒体に対してその導入方向に見て重ならない前記転写体上の位置に、該第１非転写画像を転写する転写モードを有する。
【０００８】
請求項２の発明では、前記第１非転写画像の次に前記転写ニップに導入される記録媒体の前記転写部材側を向いた面が、前記第１トナーの明度より低い明度を有する場合に、前記転写モードを実行する。
【０００９】
請求項３の発明では、前記第１形成部は、前記第１転写画像及び前記第１非転写画像を形成する形成体と、前記形成体に接触して該形成体から前記転写体への前記第１転写画像及び前記第１非転写画像の転写後に残留する第１トナーを除去する除去体と、を有すると共に、前記第２形成部の下流側に配置され、前記転写モードにおいて、前記第１非転写画像の次に前記転写ニップに導入される記録媒体に対して導入方向に見て重なる前記転写体上の位置に、前記第２非転写画像を前記第２形成部から転写して、前記形成体と前記除去体との間に前記第２トナーを供給する。
【００１０】
請求項４の発明では、前記第２形成部は、前記第２転写画像及び前記第２非転写画像を形成する形成体と、前記形成体に接触して、該形成体から前記転写体への前記第２転写画像の転写後に残留する第２トナーを除去する除去体と、を有し、前記第２形成部の前記形成体に形成された前記第２非転写画像の前記第２トナーを前記第２形成部の前記形成体と前記第２形成部の前記除去体との間に供給する供給モードを有し、前記転写モードにおいて、前記重なる転写体上の位置に、前記供給モードにおける第２非転写画像よりも濃度が高い前記第２非転写画像を該形成体から転写して、前記第１形成部の前記形成体と前記第１形成部の前記除去体との間に前記第２トナーを供給する。
【００１１】
請求項５の発明は、転写電圧が印加されて、前記第１形成部の前記形成体で形成された第１転写画像を前記転写体に転写する転写部であって、前記転写モードにおいて、前記重なる転写体上の位置に転写された前記第２非転写画像が、前記第１形成部の前記形成体と前記転写部との間に導入される際に、前記転写電圧が印加されない転写部を備える。
【発明の効果】
【００１２】
本発明の請求項１の構成によれば、第１非転写画像の次に転写ニップに導入される記録媒体に対してその導入方向に見て重なる転写体上の位置に第１非転写画像が転写される場合に比べ、除去部材による第１非転写画像のトナーの除去が不十分であっても、記録媒体の転写部材側の面に第１トナーが転移することを抑制できる。
【００１３】
本発明の請求項２の構成によれば、記録媒体の明度に関わらず前記重ならない転写体上の位置に第１非転写画像を転写する場合に比べ、転写体に転写される第１非転写画像の大きさや位置の自由度が増す。
【００１４】
本発明の請求項３の構成によれば、形成体と除去体との間に第１トナーのみを供給する場合に比べ、除去体の摩耗や捲れを抑制できる。
【００１５】
本発明の請求項４の構成によれば、転写モードにおいて、供給モードにおける第２非転写画像と同じ濃度の第２非転写画像を転写する場合に比べ、第１形成部の除去体の摩耗や捲れを抑制できる。
【００１６】
本発明の請求項５の構成によれば、転写モードにおいて第２非転写画像が形成体と転写部との間に導入される際に転写電圧と同じ電圧が印加される場合に比べ、第１形成部の除去体の摩耗や捲れを抑制できる。
【図面の簡単な説明】
【００１７】
【図１】本実施形態に係る画像形成装置を正面側から見た構成を示す概略図である。
【図２】本実施形態に係るトナー画像形成部を示す概略図である。
【図３】本実施形態に係る転写装置を示す概略図である。
【図４】転写ベルト上の非転写画像と転写画像とを示す図である。
【図５】使用開始時における第１清掃ブラシ及び第２清掃ブラシに印加する電圧の絶対値と、二次転写ベルトに残留するトナーの残留量と、の関係を示すグラフである。
【図６】使用経過後の第１清掃ブラシ及び第２清掃ブラシに印加する電圧の絶対値と、二次転写ベルトに残留するトナーの残留量と、の関係を示すグラフである。
【図７】清掃ブラシで生じるトナーへの電荷注入を示す図である。
【図８】第２変形例における転写ベルト上の非転写画像と転写画像とを示す図である。
【図９】第２変形例における一次転写電圧の印加動作を示す図である。
【図１０】第２変形例における転写ベルト上の非転写画像と転写画像との他の例を示す図である。
【図１１】変形例に係る転写ベルト上の非転写画像と転写画像とを示す図である。
【発明を実施するための形態】
【００１８】
以下に、本発明に係る実施形態の一例を図面に基づき説明する。なお、各図に示す矢印Ｈは鉛直方向を示し、矢印Ｗは水平方向であって装置幅方向を示す。
【００１９】
＜画像形成装置１０の構成＞
図１は、画像形成装置１０を正面側から見た構成を示す概略図である。この図に示されるように、画像形成装置１０は、電子写真方式により用紙等の記録媒体Ｐに画像を形成する画像形成部１２と、記録媒体Ｐを搬送する搬送装置５０と、画像形成装置１０の各部の動作を制御する制御部７０と、を有している。
【００２０】
（搬送装置５０）
図１に示されるように、搬送装置５０は、記録媒体Ｐが収容される収容器５１と、収容器５１から二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４を有している。
【００２１】
（画像形成部１２）
画像形成部１２は、トナー画像を形成するトナー画像形成部２０と、トナー画像形成部２０で形成されたトナー画像を記録媒体Ｐに転写する転写装置３０と、記録媒体Ｐに転写されたトナー画像を加熱及び加圧して記録媒体Ｐに定着する定着装置４０と、を有している。
【００２２】
トナー画像形成部２０は、色ごとにトナー画像を形成するように複数備えられている。この実施形態では、イエロー（Ｙ）、マゼンタ（Ｍ）、シアン（Ｃ）、ブラック（Ｋ）、第１特別色（Ｖ）の計５色のトナー画像形成部２０が設けられている。この各色のトナー画像形成部２０は、イエロー（Ｙ）、マゼンタ（Ｍ）、シアン（Ｃ）、ブラック（Ｋ）、第１特別色（Ｖ）の順で、後述の転写ベルト３１の搬送方向の上流側から下流側に向けて配置されている。
【００２３】
画像形成部１２では、イエロー（Ｙ）、マゼンタ（Ｍ）、シアン（Ｃ）、ブラック（Ｋ）のトナー画像形成部２０が標準装備されており、イエロー（Ｙ）、マゼンタ（Ｍ）、シアン（Ｃ）、ブラック（Ｋ）が標準色となっている。一方、第１特別色（Ｖ）のトナー画像形成部２０は、例えば、オプションとして、追加装備が可能なトナー画像形成部２０として構成されている。
【００２４】
図１に示す（Ｖ）、（Ｗ）、（Ｙ）、（Ｍ）、（Ｃ）、（Ｋ）は、上記各色に対応する構成部分を示している。なお、本明細書の説明では、（Ｖ）、（Ｗ）、（Ｙ）、（Ｍ）、（Ｃ）、（Ｋ）の括弧を省略して、Ｖ、Ｗ、Ｙ、Ｍ、Ｃ、Ｋと記載する場合がある。第１特別色（Ｖ）には、例えば、銀色や金色等の色が用いられる。本実施形態では、第１特別色（Ｖ）として、金属顔料を含むトナーによる銀色を用いる例について説明する。なお、金属顔料を含むトナーにおいては、金属顔料以外の顔料を含んでいてもよい。
【００２５】
〔トナー画像形成部２０〕
各色のトナー画像形成部２０は、用いるトナーを除き基本的に同様に構成されている。具体的には、各色のトナー画像形成部２０は、図２に示されるように、図２における時計周り方向に回転する形成体の一例としての感光体ドラム２１と、感光体ドラム２１を帯電させる帯電器２２と、帯電器２２によって帯電された感光体ドラム２１を露光して感光体ドラム２１に静電潜像を形成する露光装置２３と、を有している。さらに、各色のトナー画像形成部２０は、露光装置２３によって感光体ドラム２１に形成された静電潜像を現像してトナー画像を形成する現像装置２４と、転写装置３０へのトナー画像の転写後に感光体ドラム２１の表面に残留したトナーを除去する除去体の一例としてのブレード２５と、を有している。
【００２６】
帯電器２２は、例えば、感光体ドラム２１の表面（感光層）を負極性に帯電させる。負極性に帯電した感光体ドラム２１の表面は、露光装置２３によって露光光Ｌが照射された部分が正極性を呈し、感光体ドラム２１の表面に静電潜像が形成される。そして、現像装置２４内で負極性に摩擦帯電されたトナーが、正極性を呈する静電潜像に付着して静電潜像が現像される。このように、感光体ドラム２１の表面（外周面）にトナー画像が形成される。ブレード２５は、感光体ドラム２１の表面に接触して、感光体ドラム２１の表面に残留したトナーを掻き取る。
【００２７】
〔転写装置３０〕
転写装置３０は、各色の感光体ドラム２１のトナー画像を、転写ベルト３１（中間転写体）に重畳して一次転写し、該重畳されたトナー画像を二次転写位置ＮＴ（転写ニップの一例）で記録媒体Ｐに二次転写するようになっている。具体的には、転写装置３０は、図１に示されるように、転写体の一例としての転写ベルト３１と、転写部の一例としての一次転写ロール３３と、転写部材の一例としての二次転写ベルト３６と、二次転写ベルト３６の清掃装置６０と、転写ベルト３１の清掃装置３５と、を備えている。
【００２８】
［転写ベルト３１］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された画像を二次転写位置ＮＴへ搬送するようになっている。
【００２９】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００３０】
［一次転写ロール３３］
一次転写ロール３３は、各感光体ドラム２１のトナー画像を転写ベルト３１に転写させるロールであり、図１に示されるように、転写ベルト３１の内側に配置されている。各一次転写ロール３３は、転写ベルト３１を挟んで対応する色の感光体ドラム２１に対して対向配置されている。また、一次転写ロール３３には、給電部（図示省略）によって、トナー極性とは逆極性の一次転写電圧が印加されるようになっている。この一次転写電圧の印加により、感光体ドラム２１に形成されたトナー画像が、感光体ドラム２１と一次転写ロール３３との間の一次転写位置Ｔで転写ベルト３１に転写される。
【００３１】
［二次転写ベルト３６］
二次転写ベルト３６は、転写ベルト３１に重畳されたトナー画像を記録媒体Ｐに転写するベルトである。二次転写ベルト３６は、図３に示されるように、無端状をなし、二次転写ロール３４と、従動ロール３７と、に巻き掛けられている。
【００３２】
二次転写ロール３４は、対向ロール３２Ｂとの間に転写ベルト３１及び二次転写ベルト３６を挟むように配置されており、二次転写ベルト３６と転写ベルト３１とは予め定められた荷重にて接触している。このように接触している二次転写ベルト３６と転写ベルト３１の間が二次転写位置ＮＴとされる。この二次転写位置ＮＴには、収容器５１から適時に記録媒体Ｐが供給されるようになっている。二次転写ベルト３６は、二次転写ロール３４が回転駆動されることで、矢印Ｂ方向へ周回移動される。
【００３３】
本実施形態では、転写ベルト３１のトナー画像を記録媒体Ｐに転写する際には、印加部としての給電部３９によって、対向ロール３２Ｂに負極性の電圧が印加される。これにより、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、二次転写位置ＮＴを通過する記録媒体Ｐに、転写ベルト３１からトナー画像が転写される。
【００３４】
一方、転写ベルト３１のトナーが二次転写位置ＮＴを通過する際に当該トナーを転写ベルト３１に保持させる場合には、印加部としての給電部３９によって、対向ロール３２Ｂに正極性の電圧が印加される。これにより、対向ロール３２Ｂと二次転写ロール３４との間に電位差が生じる。すなわち、対向ロール３２Ｂに正極性の電圧が印加されることで、対向ロール３２Ｂの対向電極をなす二次転写ロール３４にトナー極性と同極性の非転写電圧（負極性の電圧）が間接的に印加される。これにより、二次転写位置ＮＴを通過するトナーは、二次転写ロール３４から反発力を受けて、転写ベルト３１に保持される。
【００３５】
［二次転写ベルト３６の清掃装置６０］
【００３６】
清掃装置６０は、図３に示されるように、印加される清掃電圧に応じた静電力によって、二次転写ベルト３６のトナー（後述の銀色トナー及び他色トナー）を吸着して除去する除去部材の一例として、第１清掃ブラシ６１及び第２清掃ブラシ６２を有している。第１清掃ブラシ６１及び第２清掃ブラシ６２は、軸部６１Ａ、６２Ａと、軸部６１Ａ、６２Ａの外周にその全周にわたって設けられたブラシ部６１Ｂ、６２Ｂと、を有している。第１清掃ブラシ６１及び第２清掃ブラシ６２は、軸部６１Ａ、６２Ａが回転駆動されることで、回転するようになっている。第１清掃ブラシ６１及び第２清掃ブラシ６２は、一例として、二次転写ベルト３６の周回方向と同じ方向（図３における時計方向）に回転するようになっている。なお、第１清掃ブラシ６１及び第２清掃ブラシ６２は、二次転写ベルト３６の周回方向と逆方向（図３における反時計方向）に回転する構成であってもよい。また、第１清掃ブラシ６１及び第２清掃ブラシ６２が二次転写ベルト３６の周回方向と逆方向に回転する場合には、例えば、二次転写ベルト３６の周速度に対して周速度差を有して回転するように構成される。
【００３７】
また、清掃装置６０は、第１清掃ブラシ６１のブラシ部６１Ｂに接触する第１金属ローラ６３と、第２清掃ブラシ６２のブラシ部６２Ｂに接触する第２金属ローラ６４と、を有している。
【００３８】
さらに、清掃装置６０は、第１金属ローラ６３に正極性の清掃電圧（クリーニング電圧）を印加する第１給電部６５と、第２金属ローラ６４に負極性の清掃電圧（クリーニング電圧）を印加する第２給電部６６と、を有している。
【００３９】
第１給電部６５が、第１金属ローラ６３に、正極性の清掃電圧を印加することで、二次転写ロール３４と第１清掃ブラシ６１と第１金属ローラ６３とに直流に清掃電流（クリーニング電流）が流れる。これにより、二次転写ロール３４に対して第１清掃ブラシ６１が正極性となり、第１清掃ブラシ６１に対して第１金属ローラ６３が正極性となる。
【００４０】
この構成により、二次転写ベルト３６上のトナーのうち、負極性に帯電したトナーが静電的に第１清掃ブラシ６１に吸着されて移動した後、第１金属ローラ６３に移動し、二次転写ベルト３６から除去される。
【００４１】
また、第２給電部６６が、第２金属ローラ６４に、負極性の清掃電圧を印加することで、二次転写ロール３４と第２清掃ブラシ６２と第２金属ローラ６４とに直流に清掃電流（クリーニング電流）が流れる。これにより、二次転写ロール３４に対して第２清掃ブラシ６２が負極性となり、第２清掃ブラシ６２に対して第２金属ローラ６４が負極性となる。
【００４２】
これにより、二次転写ベルト３６上のトナーのうち、正極性に帯電したトナーが静電的に第２清掃ブラシ６２に吸着されて移動した後、第２金属ローラ６４に移動し、二次転写ベルト３６から除去される。
【００４３】
なお、第１金属ローラ６３及び第２金属ローラ６４に移動したトナーは、ブレード等の除去部材（図示省略）により、第１金属ローラ６３及び第２金属ローラ６４から除去される。第１金属ローラ６３及び第２金属ローラ６４から除去されたトナーは、収容容器（図示省略）に収容（回収）される。
【００４４】
［転写ベルト３１の清掃装置３５］
清掃装置３５は、図１に示されるように、転写ベルト３１の周回方向において、二次転写位置ＮＴの下流側で、かつ一次転写位置Ｔ（Ｙ）の上流側に配置されている。清掃装置３５は、転写ベルト３１の表面に残留したトナーを転写ベルト３１の表面から掻き取るブレード３５１を備えている。
【００４５】
＜要部構成＞
本実施形態では、第１形成部の一例としてのトナー画像形成部２０Ｖは、第１特別色（Ｖ）としての銀色のトナーを用いてトナー画像を形成する構成とされている（図１参照）。トナー画像形成部２０Ｖで用いられる銀色トナー（第１トナーの一例）は、金属顔料とバインダー樹脂とを含んで構成されている。金属顔料としては、例えば、アルミニウム等の金属が用いられる。トナー画像形成部２０Ｖが形成するトナー画像としては、記録媒体Ｐに転写される転写画像と、記録媒体Ｐに転写されない非転写画像と、がある。
【００４６】
非転写画像としては、転写ベルト３１上のトナー画像のトナー濃度を検出するための濃度検出用画像（パッチ）や、転写ベルト３１上のトナー画像における各色間の位置ずれを検出するための色ずれ検出用画像（パッチ）や、劣化した現像剤（トナー）を消費するための画像（バンド）、感光体ドラム２１とブレード２５との間にトナーを供給するための画像（バンド）等がある。なお、濃度検出用画像（パッチ）や、色ずれ検出用画像（パッチ）を検出するための検出部（センサ）４９が、トナー画像形成部２０Ｖの下流側（図１における左側）に配置されている。
【００４７】
以下、説明の便宜上、当該転写画像を「銀色画像」と称し、当該非転写画像を「銀色パッチ」と称する。
【００４８】
一方、第２形成部の一例としてのトナー画像形成部２０Ｙ、２０Ｍ、２０Ｃ、２０Ｋ（以下、２０Ｙ〜２０Ｋと示す）で用いられるイエロー（Ｙ）、マゼンタ（Ｍ）、シアン（Ｃ）、及びブラック（Ｋ）のトナー（第２トナーの一例）は、金属顔料を含まず、金属顔料以外の顔料とバインダー樹脂とを含んで構成されている。
【００４９】
なお、本明細書では、説明の便宜上、イエロー（Ｙ）、マゼンタ（Ｍ）、シアン（Ｃ）、及びブラック（Ｋ）を「他色」と称し、他色のトナーを「他色トナー」と称する。図中において、イエロー（Ｙ）、マゼンタ（Ｍ）、シアン（Ｃ）、及びブラック（Ｋ）を区別する場合は、（Ｙ）、（Ｍ）、（Ｃ）、（Ｋ）の符号を付す。
【００５０】
前述のように、他色トナーが金属顔料を用いていないのに対して、銀色トナーは金属顔料を用いているため、銀色トナーの導電性は他色トナーの導電性よりも高くなっている。このため、銀色トナーは、他色トナーに比べ、電荷が注入されやすい性質を有している。また、銀色トナーは、粒径が他色トナーよりも大きくなっている。
【００５１】
トナー画像形成部２０Ｙ〜２０Ｋが形成するトナー画像としては、トナー画像形成部２０Ｖの場合と同様に、記録媒体Ｐの転写するための転写画像と、記録媒体Ｐに転写されない非転写画像と、がある。非転写画像としては、銀色パッチと同様に、濃度検出用画像（パッチ）や、色ずれ検出用画像（パッチ）、劣化した現像剤（トナー）を消費するための画像（バンド）、感光体ドラム２１とブレード２５との間にトナーを供給するための画像（バンド）等がある。以下、説明の便宜上、トナー画像形成部２０Ｙ〜２０Ｋが形成する非転写画像を「他色パッチ」と称し、トナー画像形成部２０Ｙ〜２０Ｋが形成する転写画像を「他色画像」と称する。
【００５２】
なお、図４に示されるように、各トナー画像形成部２０の銀色画像３１０及び他色画像３２０が、各一次転写ロール３３（転写部の一例）によって、転写ベルト３１上の転写領域Ｒ１に転写される。転写ベルト３１に転写された銀色画像３１０及び他色画像３２０は、記録媒体Ｐと共に二次転写位置ＮＴを通過して当該記録媒体Ｐに転写される。
【００５３】
一方、各トナー画像形成部２０の銀色パッチ４１０及び他色パッチ４２０は、各一次転写ロール３３によって、転写領域Ｒ１の間の非転写領域Ｒ２に転写される。転写ベルト３１上に転写された銀色パッチ４１０及び他色パッチ４２０は、記録媒体Ｐと共に二次転写位置ＮＴを通過せずに、単独で二次転写位置ＮＴを通過する。
【００５４】
本実施形態では、銀色画像３１０及び他色画像３２０を転写ベルト３１から記録媒体Ｐに転写する場合には、前述のように、対向ロール３２Ｂを介して二次転写ロール３４に正極性の二次転写電圧（トナー極性と逆極性の電圧）が印加される。これにより、記録媒体Ｐと共に二次転写位置ＮＴを通過する銀色画像３１０及び他色画像３２０が、転写ベルト３１から記録媒体Ｐへ転写されるようになっている。
【００５５】
一方、銀色パッチ４１０及び他色パッチ４２０が二次転写位置ＮＴを通過する際には、転写ベルト３１上の銀色パッチ４１０及び他色パッチ４２０が転写ベルト３１に保持されるように、対向ロール３２Ｂを介して二次転写ロール３４に負極性の非転写電圧（トナー極性と同極性の電圧）が印加される。
【００５６】
これにより、転写ベルト３１上の銀色パッチ４１０及び他色パッチ４２０のトナーは、二次転写ベルト３６（二次転写ロール３４）から反発力を受けて、転写ベルト３１に保持される。転写ベルト３１に保持された銀色パッチ４１０及び他色パッチ４２０のトナーは、清掃装置３５へ搬送され、清掃装置３５によって転写ベルト３１から除去される。
【００５７】
ここで、二次転写ベルト３６と転写ベルト３１とは、予め定められた荷重にて接触しているため、銀色パッチ４１０及び他色パッチ４２０のそれぞれが転写ベルト３１の表面に形成された場合には、各色のトナーの一部は、静電的な反発力を受けても二次転写ベルト３６に転移されてしまう。また、銀色パッチ４１０及び他色パッチ４２０のトナーの一部が、正極性の電荷の注入を受けて正極性に帯電した状態で、二次転写位置ＮＴを通過した場合には、当該一部が静電的な吸引力を受けて二次転写ベルト３６に転移されてしまう。
【００５８】
トナーへの正極性の電荷の注入は、例えば、感光体ドラム２１から転写ベルト３１への転写の際に生じる放電などによって生じる。また、前述のように、電荷の注入は、銀色トナーにおいて生じやすく、銀色トナーが二次転写ベルト３６に転移されやすい傾向にある。
【００５９】
銀色パッチ４１０の銀色トナー及び他色パッチ４２０の他色トナーが二次転写ベルト３６に転移することで、銀色トナー及び他色トナーが二次転写ベルト３６（転写部材の一例）に付着するようになっている。当該銀色トナー及び他色トナーは、二次転写ベルト３６が周回することで、第１清掃ブラシ６１及び第２清掃ブラシ６２へ搬送されて、第１清掃ブラシ６１（除去部材の一例）及び第２清掃ブラシ６２（除去部材の一例）で除去される。具体的には、前述のように、第１給電部６５（印加部の一例）によって第１清掃ブラシ６１に正極性の清掃電圧が印加されることで、二次転写ベルト３６に転移されたトナーのうち、負極性のトナーが静電的に第１清掃ブラシ６１に吸着されて二次転写ベルト３６から除去される。また、第２給電部６６（印加部の一例）によって第２清掃ブラシ６２に負極性の清掃電圧が印加されることで、二次転写ベルト３６上のトナーのうち、正極性のトナーが静電的に第２清掃ブラシ６２に吸着されて二次転写ベルト３６から除去される。
【００６０】
ここで、図５及び図６には、第１清掃ブラシ６１及び第２清掃ブラシ６２に印加する電圧の絶対値と、二次転写ベルト３６に残留するトナーの残留量と、の関係がグラフにて示されている。図５は、第１清掃ブラシ６１及び第２清掃ブラシ６２の使用開始時における当該関係を示すグラフである。図６は、第１清掃ブラシ６１及び第２清掃ブラシ６２の使用が相当期間が経過した後（例えば、トナー画像が転写された記録媒体Ｐの枚数が予め定められた枚数以上となった後）の当該関係を示すグラフである。
【００６１】
図５及び図６において、線Ａは銀色トナーを示し、線Ｂは他色トナーを示す。また、破線Ｃは、銀色トナーにおいて許容できる残留量を示し、太線Ｄは、他色トナーにおいて許容できる残留量を示す。
【００６２】
図５に示されるように、第１清掃ブラシ６１及び第２清掃ブラシ６２の使用開始時においては、例えば、電圧の絶対値がＶ１の範囲であれば、銀色トナー及び他色トナーの残留量は、許容範囲内となる。
【００６３】
しかしながら、第１清掃ブラシ６１及び第２清掃ブラシ６２の使用が相当期間経過した場合では、第１清掃ブラシ６１及び第２清掃ブラシ６２（又は二次転写ロール３４）が劣化し、電気抵抗が上昇してしまうため、電圧の絶対値を上昇させないと、他色トナーが許容範囲内まで除去できなくなる。図６に示されるように、電圧の絶対値がＶ２の範囲とした場合に、他色トナーの残留量が許容範囲内となる。一方、銀色トナーの残留量は、電圧の絶対値がＶ１の範囲において、許容範囲内となる。すなわち、絶対値が高い電圧（例えば、図６における電圧値Ｖ２）を用いた場合に、銀色トナーの残留量が増加する。このように、第１清掃ブラシ６１及び第２清掃ブラシ６２の使用が相当期間経過した後においては、銀色トナーを除去するのに適した電圧値と、他色トナーを除去するのに適した電圧値とが、異なる。
【００６４】
なお、絶対値が高い電圧（例えば、図６における電圧値Ｖ２）を用いた場合に銀色トナーの残留量が増加するのは、以下の現象が発生するためと推察される。すなわち、図７に示されるように、例えば、第１清掃ブラシ６１と二次転写ベルト３６との接触部分の上流側において、第１清掃ブラシ６１と二次転写ベルト３６との間で放電が生じ、当該放電によって正極性の電荷がトナーに注入されて正極性に帯電する現象が発生するためだと考えられる。トナーが正極性に帯電した場合には、第１清掃ブラシ６１から静電的な反発力を受けるため、トナーは第１清掃ブラシ６１に吸着されずに二次転写ベルト３６に残留する。
【００６５】
第２清掃ブラシ６２においても同様に、第２清掃ブラシ６２と二次転写ベルト３６との接触部分の上流側において、第２清掃ブラシ６２と二次転写ベルト３６との間で放電が生じ、当該放電によって負極性の電荷がトナーに注入されて負極性に帯電する現象が発生するためだと考えられる。トナーが負極性に帯電した場合には、第２清掃ブラシ６２から静電的な反発力を受けるため、第２清掃ブラシ６２に吸着されずに二次転写ベルト３６に残留する。
【００６６】
銀色トナーが二次転写ベルト３６に残留した場合には、当該銀色トナーは、二次転写ベルト３６の周回により二次転写位置ＮＴを通過する。このため、当該銀色トナーが、二次転写位置ＮＴを通過する記録媒体Ｐの裏面（二次転写ベルト３６側の面）に転移する場合がある。
【００６７】
そこで、本実施形態では、トナー画像（銀色画像３１０及び他色画像３２０）が転写された記録媒体Ｐ（画像形成を行った記録媒体Ｐ）の枚数が予め定められた枚数以上となった場合において、以下のように銀色パッチ４１０の転写ベルト３１への転写位置を制限する制限モード（転写モードの一例）を制御部７０が実行する。なお、予め定められた枚数とは、一例として、２０万枚である。
【００６８】
制限モードでは、銀色パッチ４１０の次に二次転写位置ＮＴ（転写ニップの一例）に導入される記録媒体Ｐ（以下、次順の記録媒体Ｐという場合がある）に対してその導入方向（搬送方向）に見て重ならない転写ベルト３１上の位置に、当該銀色パッチ４１０をトナー画像形成部２０Ｖの感光体ドラム２１Ｖから転写する。
【００６９】
本実施形態では、例えば、図４における非転写領域Ｒ２（Ａ）に転写された銀色パッチ４１０の次に二次転写位置ＮＴに導入される記録媒体Ｐは、図４における転写領域Ｒ１（Ａ）に転写された他色画像３２０及び銀色画像３１０が転写される記録媒体Ｐ（１）である。転写領域Ｒ１（Ａ）は、非転写領域Ｒ２（Ａ）に対する搬送方向下流側で非転写領域Ｒ２（Ａ）に隣接する転写領域である。
【００７０】
また、本実施形態において、例えば、図４における非転写領域Ｒ２（Ｂ）に転写された銀色パッチ４１０の次に二次転写位置ＮＴに導入される記録媒体Ｐは、図４における転写領域Ｒ１（Ｂ）に転写された他色画像３２０及び銀色画像３１０が転写される記録媒体Ｐ（２）である。転写領域Ｒ１（Ｂ）は、非転写領域Ｒ２（Ｂ）に対する搬送方向下流側で非転写領域Ｒ２（Ｂ）に隣接する転写領域である。
【００７１】
図４には、図４における転写領域Ｒ１の他色画像３２０及び銀色画像３１０が転写される記録媒体Ｐの二次転写位置ＮＴへの導入方向と直交する幅方向の長さ（幅）が一点鎖線で示されている。また、図４には、記録媒体Ｐの二次転写位置ＮＴへの導入方向（搬送方向）が矢印Ｃ方向にて示されている。
【００７２】
そして、記録媒体Ｐに対する幅方向外側（図４における上方及び下方）の範囲における任意の位置が、次順の記録媒体Ｐに対してその導入方向に見て重ならない位置となる。本実施形態では、非転写領域Ｒ２において、次順の記録媒体Ｐに対する幅方向外側の範囲における任意の位置に、銀色パッチ４１０をトナー画像形成部２０Ｖの感光体ドラム２１Ｖから転写する。なお、図４に示す例では、次順の記録媒体Ｐの次順以降に二次転写位置ＮＴに導入される記録媒体Ｐに対しても、その導入方向に見て重ならない位置に銀色パッチ４１０が転写される。そして、転写ベルト３１に転写された銀色パッチ４１０の銀色トナーが、次順の記録媒体Ｐに対してその導入方向に見て重ならない二次転写ベルト３６上の位置に転移する。
【００７３】
本実施形態では、次順の記録媒体Ｐの導入方向と直交する幅方向の長さ（幅）の情報を制御部７０が取得し、その情報から記録媒体Ｐに対する幅方向外側の範囲を把握する。次順の記録媒体Ｐの幅方向の長さの情報は、操作パネル等の操作部（ユーザインターフェイス）を通じて、入力された記録媒体Ｐの大きさ（サイズ）の情報から制御部７０が取得する。
【００７４】
また、記録媒体Ｐの幅方向の長さを検知部（センサ）によって、検知してもよい。検知部（センサ）は、収容器５１内、又は、収容器５１から二次転写位置ＮＴまでの搬送経路上に配置される。
【００７５】
さらに、ジョブごとに、同一の大きさの記録媒体Ｐを用いられる場合では、記録媒体Ｐに対する幅方向外側の範囲が各記録媒体Ｐで同じであるので、ジョブごとに、銀色パッチ４１０の転写ベルト３１への転写位置を決定してもよい。ジョブとは、制御部７０が画像形成指令を受けて処理（実行）する画像形成動作の処理単位をいう。
【００７６】
なお、次順の記録媒体Ｐが二次転写位置ＮＴを通過するタイミングで、転写ベルト３１から二次転写ベルト３６における銀色トナーが転移された二次転写ベルト３６の部位が、二次転写ベルト３６の周回により二次転写位置ＮＴに到達される。
【００７７】
また、制限モードでは、他色パッチ４２０は、非転写領域Ｒ２の任意の位置に転写される。すなわち、他色パッチ４２０は、非転写領域Ｒ２において、次順の記録媒体Ｐに対してその導入方向に見て重ならない位置に転写されてもよいし、次順の記録媒体Ｐに対してその導入方向に見て重なる位置に転写されてもよい（図４の非転写領域Ｒ２（Ａ）（Ｂ）参照）。
【００７８】
さらに、制限モードでは、二次転写ベルト３６上に転移したトナーが、銀色トナーであるか、他色トナーであるかに関わらず、第１給電部６５及び第２給電部６６が第１清掃ブラシ６１及び第２清掃ブラシ６２に、他色トナーの除去に適した第２電圧（図６のＶ２参照）を印加する。
【００７９】
なお、トナー画像が転写された記録媒体Ｐ（画像形成を行った記録媒体Ｐ）の枚数が予め定められた枚数未満である場合には、第１給電部６５及び第２給電部６６が、以下のように、制御部７０によって制御される。すなわち、二次転写ベルト３６上に転移したトナーが、銀色トナーであるか、他色トナーであるかに関わらず、第１給電部６５及び第２給電部６６は、第１清掃ブラシ６１及び第２清掃ブラシ６２に第１電圧を印加する。
【００８０】
（本実施形態に係る作用）
次に、本実施形態に係る作用を説明する。
【００８１】
トナー画像が転写された記録媒体Ｐの枚数が予め定められた枚数以上となった場合において、画像形成指令（プリント指令）を制御部７０が受けると、制御部７０が、記録媒体Ｐへの画像形成動作及び制限モードを実行する。
【００８２】
具体的には、制御部７０は、以下のように、銀色のトナー画像形成部２０Ｖ、他色のトナー画像形成部２０Ｙ〜２０Ｋ、転写装置３０及び定着装置４０を作動させる（図１参照）。
【００８３】
トナー画像形成部２０Ｖ、トナー画像形成部２０Ｙ〜２０Ｋでは、以下の画像形成工程（プロセス）にて、銀色画像３１０（図４参照）及び銀色パッチ４１０（図４参照）と、他色画像３２０（図４参照）及び他色パッチ４２０（図４参照）と、がそれぞれ形成される。すなわち、各色の感光体ドラム２１は、回転されながら帯電器２２によって帯電される。帯電された各感光体ドラム２１が各露光装置２３によって露光されて、各感光体ドラム２１の表面に静電潜像が形成される。各感光体ドラム２１に形成された静電潜像は、現像装置２４から供給される現像剤によって現像される。これにより、他色用の感光体ドラム２１Ｙ〜２１Ｋと銀色用の感光体ドラム２１Ｗとには、イエロー（Ｙ）、マゼンタ（Ｍ）、シアン（Ｃ）、ブラック（Ｋ）の他色画像３２０及び他色パッチ４２０と、銀色画像３１０及び銀色パッチ４１０と、がそれぞれ形成される。
【００８４】
各感光体ドラム２１に形成された各色の他色画像３２０及び銀色画像３１０は、図４に示されるように、各一次転写ロール３３によって、周回する転写ベルト３１の転写領域Ｒ１に順次転写される。
【００８５】
また、各感光体ドラム２１に形成された各色の他色パッチ４２０は、各一次転写ロール３３によって、周回する転写ベルト３１の非転写領域Ｒ２の任意の位置に順次転写される。
【００８６】
また、各感光体ドラム２１に形成された銀色パッチ４１０は、各一次転写ロール３３によって、周回する転写ベルト３１の非転写領域Ｒ２において、次順の記録媒体Ｐに対してその導入方向に見て重ならない位置に転写される。具体的には、銀色パッチ４１０は、次順の記録媒体Ｐに対する幅方向外側の転写ベルト３１上の位置に転写される。
【００８７】
転写ベルト３１に転写された他色パッチ４２０、銀色パッチ４１０、他色画像３２０及び銀色画像３１０が、転写ベルト３１の周回によって二次転写位置ＮＴに搬送される。
【００８８】
この二次転写位置ＮＴには、搬送ロール５２によって、他色画像３２０及び銀色画像３１０の搬送のタイミングに合わせて、記録媒体Ｐが供給される。この二次転写位置ＮＴを記録媒体Ｐ、他色画像３２０及び銀色画像３１０（転写領域Ｒ１）が通過する際に、対向ロール３２Ｂを介して二次転写ロール３４に二次転写電圧（正極性の電圧）が印加される。これにより、転写ベルト３１から他色画像３２０及び銀色画像３１０が記録媒体Ｐに転写される。
【００８９】
他色画像３２０及び銀色画像３１０が転写された記録媒体Ｐは、搬送ベルト５８によって、二次転写位置ＮＴから定着装置４０へ搬送され、定着装置４０において、記録媒体Ｐ上の他色画像３２０及び銀色画像３１０が記録媒体Ｐに定着される。
【００９０】
二次転写位置ＮＴを記録媒体Ｐが通過せずに、銀色パッチ４１０及び他色パッチ４２０が通過する際には、対向ロール３２Ｂを介して二次転写ロール３４に非転写電圧（負極性の電圧）が印加される。これにより、転写ベルト３１上の銀色パッチ４１０及び他色パッチ４２０は、二次転写ロール３４（二次転写ベルト３６）から反発力を受けて、転写ベルト３１に保持される。これにより、他色パッチ４２０の他色トナーは、転写ベルト３１に保持されたまま、二次転写位置ＮＴを通過して清掃装置３５へ搬送され、清掃装置３５によって転写ベルト３１から除去される。
【００９１】
このように非転写電圧が印加されるものの、二次転写ベルト３６と転写ベルト３１とは、予め定められた荷重にて接触しているため、銀色パッチ４１０の銀色トナー及び他色パッチ４２０の他色トナーの一部は、静電的な反発力を受けても二次転写ベルト３６に転移される。また、銀色パッチ４１０の銀色トナー及び他色パッチ４２０の他色トナーの一部が、正極性の電荷の注入を受けて正極性に帯電した状態で、二次転写位置ＮＴを通過した場合にも、当該一部が静電的な吸引力を受けて二次転写ベルト３６に転移される。
【００９２】
本実施形態では、銀色パッチ４１０の銀色トナーは、次順の記録媒体Ｐに対してその導入方向に見て重ならない二次転写ベルト３６上の位置に転移する。二次転写ベルト３６に転移した銀色トナー及び他色トナーは、二次転写ベルト３６が周回することで、第１清掃ブラシ６１及び第２清掃ブラシ６２へ搬送される。
【００９３】
本実施形態では、第１給電部６５が、第１清掃ブラシ６１に正極性の第２電圧（図６のＶ２参照）を印加する。これにより、二次転写ベルト３６上の他色トナー及び銀色トナーのうち、負極性に帯電したトナーが静電的に第１清掃ブラシ６１に吸着されて除去される。
【００９４】
また、第２給電部６６が、第２清掃ブラシ６２に負極性の第２電圧（図６のＶ２参照）を印加する。これにより、二次転写ベルト３６上の他色トナー及び銀色トナーのうち、正極性に帯電したトナーが静電的に第２清掃ブラシ６２に吸着されて除去される。
【００９５】
このように、本実施形態では、他色トナーの除去に適した第２電圧が用いられるため、銀色トナーは、二次転写ベルト３６上に許容範囲を超えて残留する場合がある。しかしながら、本実施形態では、銀色トナーは、次順の記録媒体Ｐに対してその導入方向に見て重ならない位置に位置するので、次順の記録媒体Ｐに対してその導入方向に見て重なる転写ベルト３１上の位置に銀色トナーが転写される場合に比べ、次順の記録媒体Ｐの裏面（二次転写ベルト３６側の面）に銀色トナーが転移することが抑制される。
【００９６】
なお、二次転写ベルト３６に残留した銀色トナーは、二次転写ベルト３６の周回により二次転写位置ＮＴへ搬送され、銀色トナーの一部が、転写ベルト３１に接触することで、転写ベルト３１に再転写されて清掃装置３５で除去される。また、転写ベルト３１に再転写されなかった銀色トナーは、二次転写ベルト３６の周回により、第１清掃ブラシ６１及び第２清掃ブラシ６２に搬送される。当該銀色トナーは、第１清掃ブラシ６１及び第２清掃ブラシ６２による除去動作が行われる。このようにして、銀色トナーの二次転写ベルト３６での残留量が低下し、当該残留量が許容範囲内となる。
【００９７】
＜第１変形例＞
上記の実施形態では、次順の記録媒体Ｐの明度に関わらず制限モードを実行していたが、これに限られない。例えば、次順の記録媒体Ｐの二次転写ベルト３６側を向いた面が、銀色トナーの明度よりも低い明度を有する場合に、制限モードを実行してもよい。
【００９８】
第１変形例では、記録媒体Ｐの明度が銀色トナーの明度（例えば、Ｌ＊（エルスター）６０）以上である場合（例えば、記録媒体Ｐが白色である場合）には、銀色トナーが記録媒体Ｐ上で視認されにくく、記録媒体Ｐの明度が銀色トナーの明度より低い場合（例えば、記録媒体Ｐが黒色である場合）には、銀色トナーが記録媒体Ｐ上で視認されやすいことに着目し、銀色パッチ４１０の転写ベルト３１への転写位置を変更する。
【００９９】
すなわち、次順の記録媒体Ｐの二次転写ベルト３６側を向いた面が、銀色トナーの明度よりも低い明度を有する場合に、次順の記録媒体Ｐに対してその導入方向に見て重ならない非転写領域Ｒ２内の位置に、銀色パッチ４１０をトナー画像形成部２０Ｖの感光体ドラム２１から転写する。
【０１００】
そして、銀色パッチ４１０の銀色トナーは、次順の記録媒体Ｐに対してその導入方向に見て重ならない二次転写ベルト３６上の位置に転移する。制限モードでは、この銀色トナーに対して、第１清掃ブラシ６１及び第２清掃ブラシ６２による静電的な除去動作が行われるが、他色トナーの除去に適した第２電圧が用いられるため、二次転写ベルト３６上に許容範囲を超えて残留した場合がある。しかしながら、銀色トナーは、次順の記録媒体Ｐに対してその導入方向に見て重ならない位置に位置するので、銀色トナーが転移した場合に当該銀色トナーが視認されやすい（目立ちやすい）明度を有する記録媒体Ｐの裏面（二次転写ベルト３６側の面）に、銀色トナーが転移することが抑制される。
【０１０１】
なお、銀色トナーの明度は、例えば、画像密度（画像カバレッジ）１００％の単色画像パッチを記録媒体Ｐに形成し、この単色画像パッチを、測色計（例えば、Ｘ−Ｒｉｔｅ  ９３８（エックスライト株式会社製））を用いて予め測定することで得られる。記録媒体Ｐにおける二次転写ベルト３６側を向いた面の明度は、操作パネル等の操作部（ユーザインターフェイス）を通じて、入力された記録媒体Ｐ（用紙）の色から制御部７０において把握される。
【０１０２】
また、二次転写位置ＮＴに導入される際に二次転写ベルト３６側を向く面の明度を、検知部（センサ）によって、検知してもよい。検知部（センサ）は、例えば、収容器５１から二次転写位置ＮＴまでの搬送経路上に配置される。この場合では、例えば、予め測定された既知の銀色トナーの明度（基準明度）と、検知部によって検知された記録媒体Ｐの明度と、を比較し、検知した明度が、基準明度よりも低い場合に、制限モードが実行される。
【０１０３】
なお、次順の記録媒体Ｐの二次転写ベルト３６側を向いた面が、銀色トナーの明度以上の明度を有する場合には、銀色パッチ４１０は、非転写領域Ｒ２の任意の位置に転写される。すなわち、銀色パッチ４１０は、非転写領域Ｒ２において、次順の記録媒体Ｐに対してその導入方向に見て重ならない位置に転写されてもよいし、次順の記録媒体Ｐに対してその導入方向に見て重なる位置に転写されてもよい。
【０１０４】
この場合では、二次転写ベルト３６上に許容範囲を超えて残留した銀色トナーが、記録媒体Ｐの裏面（二次転写ベルト３６側の面）に、銀色トナーが転移することを許容する。二次転写ベルト３６に残留した銀色トナーが、記録媒体Ｐの裏面（二次転写ベルト３６側の面）に転移しても、視認されにくく、裏面の汚れとして認識されにくい。
【０１０５】
第１変形例では、前述のように、次順の記録媒体Ｐの二次転写ベルト３６側を向いた面が、銀色トナーの明度以上の明度を有する場合には、銀色パッチ４１０は、非転写領域Ｒ２の任意の位置に転写する。このため、記録媒体Ｐの明度に関わらず次順の記録媒体Ｐに対してその導入方向に見て重ならない転写ベルト３１上の位置に銀色パッチ４１０を転写する場合に比べ、転写ベルト３１に転写される銀色パッチ４１０の大きさや位置の自由度が増す。
【０１０６】
＜第２変形例＞
上記の実施形態では、制限モードにおいて、他色パッチ４２０は、非転写領域Ｒ２の任意位置に形成されていたが、これに限られない。例えば、制限モードにおいて、次順の記録媒体Ｐに対してその導入方向に見て重なる転写ベルト３１上の位置に他色パッチ４２０を転写して、トナー画像形成部２０Ｖの感光体ドラム２１Ｖとブレード２５Ｖとの間に他色トナーを供給してもよい。
【０１０７】
具体的には、例えば、図８に示されるように、非転写領域Ｒ２において、次順の記録媒体Ｐに対してその導入方向に見て、記録媒体Ｐの幅方向一端から他端にわたって重なる位置に各感光体ドラム２１Ｙ〜２１Ｋから他色パッチ４２０が転写される。
【０１０８】
他色パッチ４２０は、他色パッチ４２０の転写後に銀色パッチ４１０が記録媒体Ｐの幅方向外側の転写ベルト３１上の位置に転写された状態において、銀色パッチ４１０をつなぐように、その銀色パッチ４１０の間に他色パッチ４２０が配置される。また、この状態において、他色パッチ４２０は、銀色パッチ４１０に対して、記録媒体Ｐの二次転写位置ＮＴに対する導入方向（矢印Ｃ方向）に重なって配置されている。これにより、銀色パッチ４１０及び他色パッチ４２０によって、ブレード２５における感光体ドラム２１の軸方向に沿った幅方向の一端から他端にわたって、画像（バンド）が転写ベルト３１に形成される。なお、他色パッチ４２０は、銀色パッチ４１０に対して、記録媒体Ｐの二次転写位置ＮＴに対する導入方向にずれて配置されていてもよい。
【０１０９】
第２変形例では、図９に示されるように、転写ベルト３１の転写領域Ｒ１が一次転写位置ＴＶを通過する際に一次転写ロール３３Ｖに一次転写電圧を印加し、転写ベルト３１の非転写領域Ｒ２が一次転写位置ＴＶを通過する際には、一次転写ロール３３Ｖへの一次転写電圧の印加を停止する。
【０１１０】
すなわち、次順の記録媒体Ｐに対してその導入方向に見て重なる転写ベルト３１上の位置に転写された他色パッチ４２０が、一次転写位置ＴＶに導入される際に、一次転写ロール３３Ｖへ一次転写電圧が印加されない。
【０１１１】
このように、一次転写ロール３３Ｖへの一次転写電圧の印加を停止することで、非転写領域Ｒ２に既に転写された他色パッチ４２０の他色トナーは、一次転写ロール３３Ｖへ一次転写電圧を印加する場合に比べ、感光体ドラム２１Ｖに転移しやすくなる。また、感光体ドラム２１Ｖに形成された銀色パッチ４１０の銀色トナーは、一次転写ロール３３Ｖへ一次転写電圧を印加する場合に比べ、転写ベルト３１へ転移される量が低下し、感光体ドラム２１Ｖに保持されやすくなる。
【０１１２】
そして、感光体ドラム２１Ｖに転移した他色トナーと、感光体ドラム２１Ｖに保持された銀色トナーとが、感光体ドラム２１Ｖとブレード２５Ｖとの間に供給される。
【０１１３】
このように、感光体ドラム２１Ｖとブレード２５Ｖとの間に銀色トナーだけでなく、他色トナーを供給するので、感光体ドラム２１Ｖとブレード２５Ｖとの間に銀色トナーのみを供給する場合に比べ、ブレード２５Ｖの摩耗や捲れが抑制される。
【０１１４】
また、第２変形例では、前述のように、他色パッチ４２０が一次転写位置ＴＶに導入される際に一次転写ロール３３Ｖへ一次転写電圧が印加されないので、他色パッチ４２０が一次転写位置ＴＶに導入される際に一次転写ロール３３Ｖへ一次転写電圧が印加される場合に比べ、感光体ドラム２１Ｖへ転移する他色トナーの量が増加する。これにより、感光体ドラム２１Ｖとブレード２５Ｖとの間に供給される他色トナーの量が増加し、ブレード２５Ｖの摩耗や捲れが効果的に抑制される。
【０１１５】
なお、転写ベルト３１から感光体ドラム２１Ｖへ転移されなかった他色トナー及び、感光体ドラム２１Ｖから転写ベルト３１へ転移した銀色トナーの一部が、二次転写ベルト３６に転移する。そして、二次転写ベルト３６に転移した銀色トナーに対して、第１清掃ブラシ６１及び第２清掃ブラシ６２による静電的な除去動作が行われるが、他色トナーの除去に適した第２電圧が用いられるため、二次転写ベルト３６上に許容範囲を超えて残留した場合がある。しかしながら、銀色トナーは、次順の記録媒体Ｐに対してその導入方向に見て重ならない位置に位置するので、次順の記録媒体Ｐの裏面（二次転写ベルト３６側の面）に、銀色トナーが転移することが抑制される。
【０１１６】
なお、第２変形例では、図１０に示されるように、銀色パッチ４１０の間に配置される他色パッチ４２０Ａに加えて、他色パッチ４２０Ｂを転写ベルト３１に転写してもよい。この他色パッチ４２０Ｂは、銀色パッチ４１０及び他色パッチ４２０Ａに対して、記録媒体Ｐの二次転写位置ＮＴに対する導入方向に見て重なるように配置される。これにより、他色パッチ４２０Ａのみを転写ベルト３１に転写する場合に比べ、感光体ドラム２１Ｖとブレード２５Ｖとの間に供給される他色トナーの量が増加し、ブレード２５の摩耗や捲れが効果的に抑制される。
【０１１７】
さらに、第２変形例では、各感光体ドラム２１Ｙ〜２１Ｋで形成された他色パッチ４２０の他色トナーを、自らの感光体ドラム２１Ｙ〜２１Ｋとブレード２５Ｙ〜２５Ｋとの間に供給する供給モードを有している。供給モードでは、各感光体ドラム２１Ｙ〜２１Ｋにその軸方向の一端から他端にわたって帯状の供給用の画像（バンド）が形成される。その供給用の画像の他色トナーが、各感光体ドラム２１Ｙ〜２１Ｋの回転により、自らの感光体ドラム２１Ｙ〜２１Ｋとブレード２５Ｙ〜２５Ｋとの間に供給する。なお、供給用の画像が、一次転写位置Ｔを通過する際に、一次転写ロール３３Ｙ〜２１Ｋへ一次転写電圧が印加されない。
【０１１８】
そして、第２変形例では、制限モードにおける他色パッチ４２０は、供給モードにおける他色パッチ４２０よりも濃度が高く設定されていてもよい。すなわち、感光体ドラム２１Ｙ〜２１Ｋに形成される他色パッチ４２０は、自らの感光体ドラム２１Ｙ〜２１Ｋとブレード２５Ｙ〜２５Ｋとの間に他色トナーを供給する場合によりも、感光体ドラム２１Ｖとブレード２５Ｖとの間に他色トナーを供給する場合に、濃度が高くされる。
【０１１９】
これにより、制限モード及び供給モードにおいて他色パッチ４２０の濃度が同じである場合に比べ、感光体ドラム２１Ｖとブレード２５Ｖとの間に供給される他色トナーの量が増加し、ブレード２５Ｖの摩耗や捲れが効果的に抑制される。
【０１２０】
＜他の変形例＞
上記の実施形態では、金属顔料を含むトナーとして、銀色トナーを用いたが、これに限られず、例えば、金色のトナーを用いてもよい。金色のトナーは、例えば、金属顔料とイエロー色の顔料とバインダー樹脂とを含んで構成される。
【０１２１】
上記の実施形態では、トナー画像が転写された記録媒体Ｐ（画像形成を行った記録媒体Ｐ）の枚数が予め定められた枚数以上である場合に、第１清掃ブラシ６１及び第２清掃ブラシ６２に第２電圧（図６のＶ２参照）を印加する構成となっていたがこれに限られない。トナー画像が転写された記録媒体Ｐの枚数が予め定められた枚数未満である場合において、銀色トナーを除去するのに適した電圧値（図６のＶ１参照）と、他色トナーを除去するのに適した電圧値（図６のＶ２参照）とが、異なる場合では、トナー画像が転写された記録媒体Ｐの枚数に関わらず、第１清掃ブラシ６１及び第２清掃ブラシ６２に第２電圧（図６のＶ２参照）を印加してもよい。トナー画像が転写された記録媒体Ｐの枚数が予め定められた枚数未満である場合において、銀色トナーを除去するのに適した電圧値と、他色トナーを除去するのに適した電圧値とが、異なる場合としては、第１清掃ブラシ６１及び第２清掃ブラシ６２（又は二次転写ロール３４）に抵抗が高い部材を用いた場合や、許容されるトナー残留量が少ない場合等が挙げられる。
【０１２２】
上記の実施形態では、制限モードにおいて、非転写領域Ｒ２における次順の記録媒体Ｐに対してその導入方向に見て重ならない位置に、銀色パッチ４１０を転写していたが、転写領域Ｒ１における次順の記録媒体Ｐに対してその導入方向に見て重ならない位置に、銀色パッチ４１０を転写してもよい。
【０１２３】
本実施形態では、転写ベルト３１に転写された銀色パッチ４１０は、次順の記録媒体Ｐの次順以降に二次転写位置ＮＴに導入される記録媒体Ｐに対しても、その導入方向に見て重ならない位置に位置していたが、これに限られない。すなわち、次順の記録媒体Ｐに対してその導入方向に見て重ならない位置に銀色パッチ４１０が転写されればよく、次順の記録媒体Ｐの次順以降に二次転写位置ＮＴに導入される記録媒体Ｐに対しては、その導入方向に見て重なる位置に配置されていてもよい。従って、例えば、ジョブ内で、大きさの異なる記録媒体Ｐが用いられる場合では、図１１に示されるように、銀色パッチ４１０（Ａ）は、次順の記録媒体Ｐ（１）の次順以降に二次転写位置ＮＴに導入される記録媒体Ｐ（２）に対しては、その導入方向に見て重なる位置に転写されてもよい。この構成によれば、転写ベルト３１に転写される銀色パッチ４１０の大きさや位置の自由度が増す。
【０１２４】
なお、二次転写ベルト３６に残留した銀色トナーは、二次転写ベルト３６の周回により二次転写位置ＮＴへ搬送され、銀色トナーの一部が、転写ベルト３１に接触することで、転写ベルト３１に再転写されて清掃装置３５で除去される。また、転写ベルト３１に再転写されなかった銀色トナーは、二次転写ベルト３６の周回により、第１清掃ブラシ６１及び第２清掃ブラシ６２に搬送される。当該銀色トナーは、第１清掃ブラシ６１及び第２清掃ブラシ６２による除去動作が行われる。このようにして、銀色トナーの二次転写ベルト３６での残留量が低下し、当該残留量が許容範囲内となるため、次順の記録媒体Ｐ（１）の次順以降に二次転写位置ＮＴに導入される記録媒体Ｐ（２）に、銀色トナーが転移しにくい。
【０１２５】
上記の実施形態では、静電力によりトナーを除去する除去部材として、清掃ブラシを用いたが、これに限られず、例えば、清掃ロールでもよい。
【０１２６】
上記の実施形態では、第１清掃ブラシ６１及び第２清掃ブラシ６２の両方が設けられていたが、第１清掃ブラシ６１及び第２清掃ブラシ６２の一方のみが設けられる構成であってもよい。
【０１２７】
本発明は、上記の実施形態に限るものではなく、その主旨を逸脱しない範囲内において種々の変形、変更、改良が可能である。例えば、上記に示した変形例は、適宜、複数を組み合わせて構成しても良い。
【符号の説明】
【０１２８】
１０   画像形成装置
２０Ｖ トナー画像形成部（第１形成部の一例）
２０Ｙ、２０Ｍ、２０Ｃ、２０Ｋ     トナー画像形成部（第２形成部の一例）
２１Ｖ 感光体ドラム（第１形成部の形成体の一例）
２１Ｙ、２１Ｍ、２１Ｃ、２１Ｋ     ブレード（第２形成部の除去体の一例）
２５Ｖ 感光体ドラム（第１形成部の形成体の一例）
２５Ｙ、２５Ｍ、２５Ｃ、２５Ｋ     ブレード（第２形成部の除去体の一例）
３１   転写ベルト（転写体の一例）
３３Ｖ 一次転写ロール（転写部の一例）
３６   二次転写ベルト（転写部材の一例）
６１   第１清掃ブラシ（除去部材の一例）
６２   第２清掃ブラシ（除去部材の一例）
【図１】
2016061922.tif 000003
【図２】
2016061922.tif 000004
【図３】
2016061922.tif 000005
【図４】
2016061922.tif 000006
【図５】
2016061922.tif 000007
【図６】
2016061922.tif 000008
【図７】
2016061922.tif 000009
【図８】
2016061922.tif 000010
【図９】
2016061922.tif 000011
【図１０】
2016061922.tif 000012
【図１１】
2016061922.tif 000013
【手続補正書】
【提出日】平成27年4月21日(2015.4.21)
【手続補正１】
【補正対象書類名】明細書
【補正対象項目名】０１２３
【補正方法】変更
【補正の内容】
【０１２３】
本実施形態では、転写ベルト３１に転写された銀色パッチ４１０は、次順の記録媒体Ｐの次順以降に二次転写位置ＮＴに導入される記録媒体Ｐに対しても、その導入方向に見て重ならない位置に位置していたが、これに限られない。すなわち、次順の記録媒体Ｐに対してその導入方向に見て重ならない位置に銀色パッチ４１０が転写されればよく、次順の記録媒体Ｐの次順以降に二次転写位置ＮＴに導入される記録媒体Ｐに対しては、その導入方向に見て重なる位置に配置されていてもよい。従って、例えば、ジョブ内で、大きさの異なる記録媒体Ｐが用いられる場合では、図１１に示されるように、銀色パッチ４１０（Ａ）は、記録媒体Ｐの次順以降に二次転写位置ＮＴに導入される記録媒体Ｐ（１）に対しては、その導入方向に見て重なる位置に転写されてもよい。この構成によれば、転写ベルト３１に転写される銀色パッチ４１０の大きさや位置の自由度が増す。